(57)【特許請求の範囲】
【請求項１】
外板と裏板との間に仕切板を重ね合わせて複数の球流路を設け、この球流路の屈曲部を切欠いた開口を塞ぐ位置に各球流路ごとに軸着して一端が球流路内に進退動自在に設けた可動片の背面に該可動片の押圧により電気接続するスイッチを納めたスイッチボックスにおいて、複数の収納室が所定の間隔空間を有した二重壁になる隔壁によって区画形成され、該スイッチボックスの両側の側壁及びそれぞれの隔壁に一方の開口側から所定深さ奥方へ所定間隔を置いた２本の切込を設けてこの切込端で側壁又は隔壁と一体になる細長片部を形成し且つこれらの細長片部の中間部辺の内面に突子を一体に突設し、各収納室の互いに対面する側壁と隔壁、隔壁と隔壁のそれぞれの細長片部が段違い位置となるように配置設置し、前記スイッチボックスの各収納部の前記細長片部のばね作用により細長片部の突子をスイッチの両面の透孔に嵌合させてそれぞれの収納室にスイッチを個々独立に着脱自在に組み込み設置せしめてなることを特徴とするパチンコ機のカ−ブレ−ルに設けたスイッチボックス。
【発明の詳細な説明】
【０００１】
【産業上の利用分野】
本発明は、パチンコ機のカ−ブレ−ルに設けたスイッチボックス、特に、スイッチボックスの複数のそれぞれの収納室に各スイッチを個々独立に着脱自在に収納固定する構造として形成したスイッチボックスに関するものである。
【０００２】
【従来の技術】
従来、パチンコ機のカ−ブレ−ルは、図８に示すように、外板１００と裏板１０１の間に複数の仕切板１０２を重ね合わせて、第一球流路ａ、第二球流路ｂ、第三球流路ｃのように複数条の球流路を設けて組み立てられ、そして、これらの球流路ａ、ｂ、ｃごとに球切れ検知装置のセンサ−として機能する可動片１０３と、これらの可動片１０３の背面に前記可動片１０３ごとに押圧されて電気接続する複数のスイッチ１０４が納められたスイッチボックス１０５が設けられて、前記可動片１０３の退動位置で前記スイッチ１０４を押圧するように組み込まれている。そしてこのスイッチボックス１０５は、図９、図１０に示すように、隔壁１０６により各球流路ａ，ｂ，ｃに相当する数の収納室１０７が区画形成され、これらの収納室１０７の各々に一個宛のスイッチ１０４が納められる。このスイッチボックス１０５は一方の側壁１０９から隔壁１０６を通って他方の側壁１１０に重合貫通する２本の透孔１１１ａ，１１１ｂ，１１２ａ，１１２ｂ，１１３ａ，１１３ｂを有し、スイッチ１０４も前記透孔１１１ａ〜１１３ａ，１１１ｂ〜１１３ｂと重合貫通する２本の透孔１１４ａ，１１４ｂを有しており、これらの透孔１１１ａ〜１１４ａ及び１１１ｂ〜１１４ｂに合成樹脂製の軸棒１１５ａ，１１５ｂを貫通させて各収納室１０７に納まる複数のスイッチ１０４をスイッチボックス１０５に一括的に固定設置する。そして、スイッチボックス１０５の側壁１１０、から突出された各軸棒１１５ａ，１１５ｂのそれぞれの先端を高周波または超音波溶接装置によりカシメ１１６ａ，１１６ｂされて抜け脱が不可能に溶着されてなるものが一般に知られている。
【０００３】
【発明が解決しようとする課題】
従来の技術で述べたスイッチボックスにおいて、スイッチボックス１０５に合成樹脂製の軸棒１１５ａ，１１５ｂを貫通させてこの軸棒の突出先端を超音波または高周波溶接装置によりカシメる構造のものは、スイッチボックス１０５の収納室１０７の中にスイッチ１０４を確実堅固に固定設置することができるとしても、複数のスイッチ１０４は軸棒１１５ａ，１１５ｂで一括して固定されているので、複数のスイッチ１０４の中の１個のスイッチが不良品または使用中に故障した場合、一個の不良スイッチを交換するためには、軸棒１１５ａ，１１５ｂのカシメ１１６ａ，１１６ｂを壊して軸棒１１５ａ，１１５ｂをスイッチボックス１０５から引き抜き、不良スイッチを交換した後、新しい軸棒を貫通させて高周波または超音波溶接によりカシメる作業となり、このような作業を一個のスイッチの不良のために関わることは面倒で時間の無駄となるために、スイッチボックスごと交換をしているのが現状である。このように、複数の中の１個の不良スイッチのために、スイッチボックスごと交換することは、他の使用可能な２個のスイッチを無駄に廃棄することになり、ユ−ザ−にとっては、新しいスイッチボックスを購入することになり、修理代が高く不経済であった。
【０００４】
また、スイッチの組み立て工程においても、軸棒１１５ａ，１１５ｂの先端をカシメる等の組み立てが面倒で作業時間がかかり、しかも高周波又は超音波溶接装置は高価な装置であるから設備費も高くなり、その結果、スイッチボックス一個の製作費も高くなる等の問題点があった。
【０００５】
本発明は、上記の点に鑑みてなされたもので、その目的とするところは、スイッチボックスの各収納室にそれぞれ独立のスイッチ固定機能を備えさせることにより、個々のスイッチを各収納室ごとに個々独立に着脱可能にし、そして不良のスイッチのみの交換を可能にした組立構造のスイッチボックスを提供するものである。
【０００６】
【課題を解決するための手段】
上記の目的を達成するために本発明は、外板と裏板との間に仕切板を重ね合わせて複数の球流路を設け、この球流路の屈曲部を切欠いた開口を塞ぐ位置に各球流路ごとに軸着して一端が球流路内に進退動自在に設けた可動片の背面に該可動片の押圧により電気接続するスイッチを納めたスイッチボックスにおいて、複数の収納室が所定の間隔空間を有した二重壁になる隔壁によって区画形成され、該スイッチボックスの両側の側壁及びそれぞれの隔壁に一方の開口側から所定深さ奥方へ所定間隔を置いた２本の切込を設けてこの切込端で側壁又は隔壁と一体になる細長片部を形成し且つこれらの細長片部の中間部辺の内面に突子を一体に突設し、各収納室の互いに対面する側壁と隔壁、隔壁と隔壁のそれぞれの細長片部が段違い位置となるように配置設置し、前記スイッチボックスの各収納部の前記細長片部のばね作用により細長片部の突子をスイッチの両面の透孔に嵌合させてそれぞれの収納室にスイッチを個々独立に着脱自在に組み込み設置せしめてなるものである。
【０００７】
【作用】
スイッチボックスの各収納室の側壁または隔壁に設けられた細長片部は二本の切込によってばね機能を有して形成される。そこで、スイッチボックスの収納室にスイッチを組込む作業において、スイッチボックスの各収納室の細長片部を、手の指先で強制的に軽く外側へそり返らせ、即ち、収納室の外方へそり返らせてスイッチを差し込むと、スイッチは細長片部の突子に引っかかることなく奥まで押し込まれ、細長片部から手の指先を離すとばね作用により、スイッチが納まり位置になったところで細長片部の突子がスイッチの透孔の両面の開口に嵌合し、そしてスイッチは収納室に固定設置される。そして、個々の収納室に収納されたそれぞれのスイッチは、他のスイッチとは個々独立した状態で固定収納される。次に、スイッチを取り外す場合、細長片部を、手の指先で強制的に軽く外側へそり返らせると突子が透孔から外され、スイッチを引き抜くことにより収納室から容易に取り出される。このようにして、スイッチボックスのそれぞれの収納室には、個々のスイッチが他のスイッチから個々独立に収納され、また個々のスイッチを他のスイッチと関係なくそれぞれの収納室から個々に取り出すことが可能となる。
【０００８】
そして、前記スイッチボックスは、各収納室に設けた細長片部に備えるばね作用により、細長片部の突子とスイッチに設けた透孔が嵌合することにより、スイッチを各収納室に確実堅固に固着し、この状態において、スイッチボックスが外部から受ける種々の応力、例えば、可動片の押圧力を受けてもがたつくことなく堅く固定設置されスイッチの接触機能を損なうことなく確実に組み立て設置することができる。
【０００９】
【実施例】
以下本発明の一実施例を図面に基づいて説明すると、図１は、パチンコ機の裏面図で、１は遊戯盤、２は遊戯盤の後面に取外し可能に配置された機構板、３はその上方に取付けられた賞球タンク、４は賞球タンク３内の賞球をカ−ブレ−ル５を介して賞球放出装置６に導く誘導樋を示す。
【００１０】
図２は本発明に係るカ−ブレ−ルの分解斜視図、図３はスイッチを取り外して示すスイッチボックスの斜視図、図４はスイッチを納めて示すスイッチボックスの断面図、図５はスイッチボックスを組み込む前の状態を示すカ−ブレ−ルの斜視図、図６はスイッチボックスを組み込んだ状態を示すカ−ブレ−ルの組立斜視図で、カ−ブレ−ル５は、外板７と、球流路８を有する裏板９との間に、一方の側面に球流路１０を有する仕切板１１を複数個、好ましくは２個を重ね合わせて、第一球流路８ａ、第二球流路１０ａ、第三球流路１０ｂとの３条の球流路を備えられ、各球流路８ａ，１０ａ，１０ｂごとに、図６及び図７に示すように、この球流路８、１０の屈曲部を切欠いた開口１２を塞ぐ位置に、第一、第二、第三の各球流路８ａ，１０ａ，１０ｂごとに軸着して一端が球流路８、１０内に進退動自在となるように球切れ検知装置のセンサ−として機能する可動片１３ａ〜１３ｃが組み込み設置される。そして第一、第二、第三球流路８ａ，１０ａ，１０ｂの可動片１３ａ〜１３ｃの背面には、各球流路の各可動片１３ａ〜１３ｃごとに押圧されて電気接続するスイッチ１４ａ，１４ｂ，１４ｃを納めたスイッチボックス１５が設けられる。このスイッチ１４ａ，１４ｂ，１４ｃのスイッチボタンが前記各可動片１３ａ〜１３ｃの退動位置で押圧されるようになっている。該スイッチ１４ａ，１４ｂ，１４ｃは前記入賞球処理装置の駆動モ−タ（図示せず）の回路を開閉する。なお、前記可動片１３ａ〜１３ｃは、両側に突設した短軸３７を外板７、仕切板１１、裏板９に形成した軸受筒３８の切込溝３９に上方から嵌入することにより回動自在に軸支される。
【００１１】
前記スイッチボックス１５は、図３に示すように、３個のスイッチ１４ａ，１４ｂ，１４ｃを個々に納めるための複数の収納室１６ａ，１６ｂ，１６ｃが所定の間隔空間を有した二重壁になる隔壁１７ａ，１７ｂ，１８ａ，１８ｂによって区画形成され、このスイッチボックス１５は、収納室１６ｃの側の側壁１９に所定間隔を置いた２本の切込２０ａ，２０ｂを開口縁から所定深さに直線的に設け且つ切込端で側壁１９と一体となる細長片部２１ａを形成し、この細長片部２１ａの内面の中間よりやや開口寄り位置に突子２２ａを一体に突設する。同様に、前記収納室１６ａ，１６ｂの前記側壁１９の側の隔壁１７ａ，１８ａに所定の間隔を置いた２本の切込２０ｃ，２０ｄ及び２０ｅ，２０ｆを開口縁から所定深さに直線的に設け且つ切込端で隔壁１７ａ，１８ａと一体となる細長片部２１ｂ，２１ｃを形成し、この細長片部２１ｂ，２１ｃの内面の中間よりやや開口寄り位置に突子２２ｂ，２２ｃを一体に突設する。また、前記収納室１６ａの側の側壁２３に所定間隔を置いた２本の切込２４ａ，２４ｂを開口縁から所定深さに直線的に設け且つ切込端で側壁２３と一体となる細長片部２５ａを形成し、この細長片部２５ａの内面の中間よりやや開口寄り位置に突子２６ａを一体に突設する。同様に、前記収納室１６ｂ，１６ｃの前記側壁２３の側の隔壁１７ｂ，１８ｂに所定の間隔を置いた２本の切込２４ｃ，２４ｄ及び２４ｅ，２４ｆを開口縁から所定深さに直線的に設け且つ切込端でそれぞれの隔壁１７ｂ，１８ｂと一体となる細長片部２５ｂ，２５ｃを形成し、この細長片部２５ｂ，２５ｃの内面の中間よりやや開口寄り位置に突子２６ｂ，２６ｃを一体に突設する。そして、前記側壁１９及び隔壁１７ａ，１８ａの細長片部２１ａ〜２１ｃと側壁２３及び隔壁１７ｂ，１８ｂの細長片部２５ａ〜２５ｃとは段違い位置になるように設けられる。更に、前記スイッチ１４ａ〜１４ｃには前記各収納室１６ａ〜１６ｃの各細長片部２１ａ〜２１ｃ，２５ａ〜２５ｃの突子と嵌合する位置に透孔２７ａ，２７ｂが貫通されている。
【００１２】
前記各細長片部２１ａ〜２１ｃ，２５ａ〜２５ｃは側壁１９，２３及び隔壁１７ａ，１７ｂ，１８ａ，１８ｂの切込端で一体に連接されることにより、ばね機能が備えられるので、手の指先で収納室１６ａ〜１６ｃの外側または二重壁の間隔空間の側へ反り返らせ、前記各スイッチ１４ａ〜１４ｃを収納室１６ａ〜１６ｃに差し込んだとき、突子２２ａ〜２２ｃ，２６ａ〜２６ｃに邪魔されることなくスイッチ１４ａ〜１４ｃを収納室１６ａ〜１６ｃの奥端まで押し込まれ、該スイッチ１４ａ〜１４ｃの納まり位置で、手の指を離すと、細長片部２１ａ〜２１ｃ，２５ａ〜２５ｃのばね作用により、突子２２ａ〜２２ｃ，２６ａ〜２６ｃがスイッチ１４ａ〜１４ｃの透孔２７ａ，２７ｂの両面に嵌合する。収納室１６ａ〜１６ｃからスイッチ１４ａ〜１４ｃを取り出す場合、手の指で細長片部２１ａ〜２１ｃ，２５ａ〜２５ｃを反り返らせることにより突子２２ａ〜２２ｃ，２６ａ〜２６ｃがスイッチ１４ａ〜１４ｃの透孔２７ａ，２７ｂから外れるので、スイッチ１４ａ〜１４ｃを引き抜くことにより収納室１６ａ〜１６ｃから取り出される。このように、各収納室１６ａ〜１６ｃに納められたそれぞれのスイッチ１４ａ〜１４ｃは、個々に独立して各収納室１６ａ〜１６ｃに固定設置され、またこれを取り出すにも個々独立に収納室１６ａ〜１６ｃから取り外すことができる。
【００１３】
前記スイッチボックス１５の上面及び下面にはそれぞれの一端側で固着し他端側の自由端をスイッチボックス１５の上面又は下面方向へ反らせて対称に設置するばね板２８ａ，２８ｂを有し、このばね板２８ａ，２８ｂの自由端側に三角隆起状の係止爪２９ａ，２９ｂを突設し、このスイッチボックス１５の上下面の内側隅部にストッパ−３０ａ，３０ｂが一体に突出設置され、これら上下のストッパ−３０ａ，３０ｂのそれぞれの上面及び下面を奥側端部の側へ低くなる傾斜を有して形成される。
【００１４】
前記外板７は、前記スイッチボックス１５の収納空間へ連通する箇所を一部切欠してスイッチボックス１５の差込み口３１を設け、この差込み口３１の四隅部に支持枠３２、３３、３４、３５を設け、外板７の内側となる上下の支持枠３２、３３にスイッチボックス１５のストッパ−３０ａ，３０ｂを嵌合させ、前記外板７の外側となる支持枠３４、３５にはスイッチボックス１５の外側の上下隅部を嵌合させる。前記裏板９の内面には、前記スイッチボックス１５の奥側端部を受け入れる横Ｕ字状の受け枠３６を設けて形成する。
【００１５】
前記スイッチボックス１５を差込み口３１から差し込んで受け枠３６に入れ、前記ストッパ−３０ａ，３０ｂが内側の支持枠３２，３３に嵌合したとき、上下のばね板２８ａ，２８ｂの係止爪２９ａ，２９ｂが差込み口３１の上下縁に嵌合し、スイッチボックス１５が外板７と裏板９の間の収納空間に安定した状態を維持して固定配置される。そして、このスイッチボックス１５の各収納室１６ａ，〜１６ｃに納められた３個のスイッチ１４ａ〜１４ｃのスイッチボタンが第一、第二、第三球流路８ａ，１０ａ，１０ｂの各可動片１３ａ〜１３ｃの退動位置で押圧されるように設置され、該スイッチ１４ａ〜１４ｃは前記入賞球処理装置の駆動モ−タ（図示せず）の回路を開閉する。
【００１６】
そして、カ−ブレ−ル５に景品球が入っている図７の状態では、その球圧により可動片１３ｃが押圧されて退動位置にあり、スイッチ１４ｃが閉じているため入賞球処理装置が正常に作動する。そして、例えば第三球流路１０ｂが球詰まり等の原因により景品球が途絶えた場合にはそれに対応する可動片１３ｃが図７の鎖線で示すように球圧から解放され、これによりスイッチ１４ｃが開くため入賞球処理装置の駆動モ−タが停止するのである。また、同じように第一、第二球流路８ａ，１０ａの景品球が途絶えた場合にも各可動片１３ａ，１３ｂが球圧から開放されてスイッチ１４ａ，１４ｂが開き駆動モータが停止する。
【００１７】
【発明の効果】
以上説明したように本発明によれば、スイッチボックスの各収納室にスイッチを差し込むだとき、収納室の両側の側壁と隔壁に設けた細長片部のばね機能により細長片部に有する突子をスイッチの透孔の両面開口に嵌合し、各収納室ごとにスイッチを個々に固定設置する。そして、収納室からスイッチを取り外す場合、細長片部を外側に反らすことにより、突子がスイッチの透孔から外され、スイッチはそれぞれの収納室から個々別個に取り出すことが可能となる。また、各収納室を区画する側壁と隔壁、隔壁と隔壁、隔壁と側壁のように互いに対面する壁の細長片部は段違い位置に設けられ、これらの細長片部の突子は、スイッチを貫通する２本の透孔の両面の開口に段違いに嵌合することによりスイッチをそれぞれの収納室に堅固確実に固定収納される。
【００１８】
このように、本発明のスイッチボックスは、複数の収納室にそれぞれ個々にスイッチを着脱自在に設置することができ、複数収納するスイッチの中の１個のスイッチが不良になったとき、スイッチボックスを壊さずに、その不良スイッチのみを自由に且つ簡単に交換可能にし、しかも、このスイッチボックスは、合成樹脂による一体成形により容易簡単に形成することができ、それ故に、従来のような複数の収納室に納められた複数のスイッチを一括して固定するスイッチボックスのように、一個の不良スイッチのために他の使用可能なスイッチを含めてスイッチボックスごと廃棄するような不経済を解消し、しかも複数のスイッチに軸棒を挿着し、そして軸棒の突出先端をカシメて組み立てるといった集中力と神経の疲れる組み立て作業から解放され、しかもスイッチを固定する軸棒を別途用意する必要を排除し、部品点数を削減すると共に軸棒をカシメるための高価な高周波又は超音波溶接装置の設備を不要とする等の効果を奏する。
【図面の簡単な説明】
【図１】パチンコ機の裏面図である。
【図２】本発明のカ−ブレ−ルの分解斜視図である。
【図３】本発明のスイッチボックスからスイッチを外して示す斜視図である。
【図４】本発明のスイッチボックスにスイッチを設置して示すの断面図である。
【図５】本発明のスイッチボックスをカ−ブレ−ルに組み込む前の状態を示す斜視図である。
【図６】本発明のスイッチボックスを設置した状態を示すカ−ブレ−ルの組立斜視図である。
【図７】本発明のカ−ブレ−ルの球流路に設けられたスイッチボックスと可動片の関係を示す要部断面図である。
【図８】従来のカ−ブレ−ルにスイッチボックスを組立てて示す分解斜視図である。
【図９】従来のスイッチボックスの取付構造を示す分解斜視図である。
【図１０】従来のスイッチボックスの組み立て構造を示す断面図である。
【符号の説明】
５                カ−ブレ−ル
７                外板
８                球流路
９                裏板
１０              球流路
１３ａ〜１３ｃ    可動片
１４ａ〜１４ｃ    スイッチ
１５              スイッチボックス
１６ａ〜１６ｃ    収納室
１７ａ，１７ｂ    隔壁
１８ａ，１８ｂ    隔壁
１９              側壁
２０ａ〜２０ｆ    切込
２１ａ〜２１ｃ    細長片部
２２ａ〜２２ｃ    突子
２３              側壁
２４ａ〜２４ｆ    切込
２５ａ〜２５ｃ    細長片部
２６ａ〜２６ｃ    突子
２７ａ，２７ｂ    透孔
【図１】
0003569316.tif 000002
【図２】
0003569316.tif 000003
【図３】
0003569316.tif 000004
【図４】
0003569316.tif 000005
【図５】
0003569316.tif 000006
【図６】
0003569316.tif 000007
【図７】
0003569316.tif 000008
【図８】
0003569316.tif 000009
【図９】
0003569316.tif 000010
【図１０】
0003569316.tif 000011